(57)【要約】【課題】個人情報等が記載された損紙の散逸を確実に防止するとともに、再出力を依頼する損紙を明示するための損紙再出力依頼票を発行するシステムを提供する。【解決手段】帳票を封筒に封入封緘する封入封緘システムにおいて発生した損紙である帳票に印刷されているコードを読み取るコード読取手段と、コードにおける封筒番号、同封枚数、枚目番号を枚目損紙情報として記憶する枚目損紙情報記憶手段と、枚目損紙情報が記憶された帳票と記憶されていない帳票とが、判別可能な枚目読込画面を表示する枚目読込画面表示手段と、同封枚数のすべての帳票の枚目損紙情報が記憶されたときに、枚目損紙情報に基づいて全損紙情報を生成し登録を可能とする全損紙情報登録手段と、損紙再出力依頼情報を全損紙情報に基づいて生成する損紙再出力依頼情報生成手段とを備える。【選択図】  図１
2010128867.tif 000002
【特許請求の範囲】
【請求項１】
帳票を封筒に封入封緘する封入封緘システムにおいて前記帳票に損紙が発生したときその損紙の情報を登録し損紙再出力依頼票を発行する損紙再出力依頼票発行システムであって、
前記発生した損紙である帳票に印刷されているコードを読み取るコード読取手段と、
前記読み取ったコードにおける、すくなくとも、封筒番号、同封枚数、枚目番号を枚目損紙情報として記憶する枚目損紙情報記憶手段と、
前記封筒番号によって特定される組に属する前記同封枚数の帳票において、枚目損紙情報が記憶された帳票と、枚目損紙情報が記憶されていない帳票とが、判別可能な枚目読込画面を表示する枚目読込画面表示手段と、
前記同封枚数のすべての帳票の枚目損紙情報が記憶されたときに、前記枚目損紙情報に基づいて全損紙情報を生成し登録を可能とする全損紙情報登録手段と、
前記損紙の再出力を依頼するための損紙再出力依頼情報を前記全損紙情報に基づいて生成する損紙再出力依頼情報生成手段と、
を備えることを特徴とする損紙再出力依頼票発行システム。
【請求項２】
請求項１に記載の損紙再出力依頼票発行システムにおいて、  前記損紙再出力依頼情報に基づいて損紙再出力依頼票を印刷する損紙再出力依頼票印刷手段を備えることを特徴とする損紙再出力依頼票発行システム。
【請求項３】
請求項１または２に記載の損紙再出力依頼票発行システムにおいて、  前記損紙再出力依頼情報生成手段は複数の封筒番号によって特定される複数の全損紙情報に基づいて損紙再出力依頼情報を生成することを特徴とする損紙再出力依頼票発行システム。
【請求項４】
請求項１〜３のいずれかに記載の損紙再出力依頼票発行システムにおいて、前記読み取ったコードから枚目損紙情報として記憶する情報には宛名が印刷され宛名印刷帳票数（キー）と、宛名が印刷されていない副帳票数（サブ）と、ページ番号とが含まれており、前記損紙再出力依頼情報には、前記封筒番号と、前記同封枚数と、前記宛名印刷帳票数と、前記副帳票数と、前記ページ番号とが含まれていることを特徴とする損紙再出力依頼票発行システム。
【請求項５】
請求項１〜４のいずれかに記載の損紙再出力依頼票発行システムにおいて、前記枚目読込画面には目視確認ボタンが設けられており、前記枚目損紙情報が記憶されていない帳票の前記枚目番号を選択し、前記目視確認ボタンを押すことにより前記帳票を枚目損紙情報が記憶された帳票として処理する目視確認入力手段を備えることを特徴とする損紙再出力依頼票発行システム。
【発明の詳細な説明】
【技術分野】
【０００１】
本発明は封筒に中身の帳票を封入して封緘する封入封緘システムの技術分野に属する。特に、損紙が発生したときに損紙の実体と、損紙の登録との対応確認を含み、個人情報等が記載された損紙の散逸を確実に防止でき、良品とされた製品群における損紙の再出力を依頼するための損紙再出力依頼票を発行する損紙再出力依頼票発行システムに関する。
【背景技術】
【０００２】
製造ラインにおいて製品検査を実行し不良品を除去することが行われている。そのとき、不良品が製品に混入したり散逸したりせず適正に廃棄されるように、また除去され欠番となった不良品に代えて良品を補充できるようにする必要性がある。たとえば、ダイレクトメール等の個人情報が記載された印刷物においては不良品が製品に混入したり散逸したりすると、個人情報が漏洩することとなり大きな問題である。したがって、不良品の全体を確実に回収し適性に廃棄する必要性がある。また、除去されて欠番となった不良品に代えて良品を補充する必要性がある。この補充のためには、除去した不良品を特定するための情報登録と再生産の指示を必要とする。また、良品とされた製品群において欠番となっている製品を明示しておく必要性がある。
【０００３】
そのような目的を果たすシステムが公知である。たとえば、封入封緘システムにおいて、エラー対処に個人差が入らず、エラー対象の探索を容易にし、機種によるエラー表示の形態を統一し、生産性を向上させる検査情報管理システムが公知である（特許文献１）。この検査情報管理システムは、エラー内容と対処内容の関係を設定するエラー対処内容設定手段と、検査対象の管理単位を設定する管理単位設定手段と、検査情報を入力する検査情報入力手段と、その検査情報を設定情報に従って分類し分類検査情報を得る分類手段と、分類検査情報を所定の形式で印刷して管理札を得る出力手段と、分類検査情報を所定の形式でディスプレイに表示する検査情報表示手段と、生産物品をエラー対処内容によって区分して排出するための区分排出制御手段とを備えている。
また、紙幣、有価証券等の小切製品の記番号から、その製品の製造履歴を簡単かつ迅速につかむことができる製造管理システムが公知である（特許文献２）。この製造管理システムにおいては、製紙工程において付与された大判シートの端部に印刷された識別コードと小切製品の記番号を関連付け、小切以降の工程では記番号を読み取り管理することにより、小切製品の記番号から大判シートの製造履歴を追跡することが可能になる。また、記番号印刷工程において補刷を行った場合に逐次データを更新し、大判シートの識別コードとの関連を更新するとともに、損紙とされた大判シート及び小切製品を最終処理した際にその情報を更新する。
【特許文献１】特開２００７−１９６１２６
【特許文献２】特開２００７−１５２８４０
【発明の開示】
【発明が解決しようとする課題】
【０００４】
このような従来技術においても検査工程において良品であるか不良品であるかを判定してはいる。しかしながら、不良品が製品に混入したり散逸したりせず適正に廃棄されていることは保証されていないという問題がある。
また、このような従来技術においても除去されて欠番となった不良品の登録をしてはいる。しかしながら、除去され欠番となった不良品に代えて良品を補充する処理を適正に行うための構成を有しないという問題がある。
本発明は上記の問題を解決するために成されたものである。その目的は、損紙が発生したときに損紙の実体と、損紙の登録との対応確認を含み、個人情報等が記載された損紙の散逸を確実に防止でき、良品を集めた製品群において再出力を依頼する損紙を明示するための損紙再出力依頼票を発行する損紙再出力依頼票発行システムを提供することにある。
【課題を解決するための手段】
【０００５】
本発明の請求項１に係る損紙再出力依頼票発行システムは、  帳票を封筒に封入封緘する封入封緘システムにおいて前記帳票に損紙が発生したときその損紙の情報を登録し損紙再出力依頼票を発行する損紙再出力依頼票発行システムであって、  前記発生した損紙である帳票に印刷されているコードを読み取るコード読取手段と、  前記読み取ったコードにおける、すくなくとも、封筒番号、同封枚数、枚目番号を枚目損紙情報として記憶する枚目損紙情報記憶手段と、  前記封筒番号によって特定される組に属する前記同封枚数の帳票において、枚目損紙情報が記憶された帳票と、枚目損紙情報が記憶されていない帳票とが、判別可能な枚目読込画面を表示する枚目読込画面表示手段と、  前記同封枚数のすべての帳票の枚目損紙情報が記憶されたときに、前記枚目損紙情報に基づいて全損紙情報を生成し登録を可能とする全損紙情報登録手段と、  前記損紙の再出力を依頼するための損紙再出力依頼情報を前記全損紙情報に基づいて生成する損紙再出力依頼情報生成手段とを備えるようにしたものである。
また、本発明の請求項２に係る損紙再出力依頼票発行システムは、請求項１に係る損紙再出力依頼票発行システムにおいて、前記損紙再出力依頼情報に基づいて損紙再出力依頼票を印刷する損紙再出力依頼票印刷手段を備えるようにしたものである。
また、本発明の請求項３に係る損紙再出力依頼票発行システムは、請求項１または２に係る損紙再出力依頼票発行システムにおいて、前記損紙再出力依頼情報生成手段は複数の封筒番号によって特定される複数の全損紙情報に基づいて損紙再出力依頼情報を生成するようにしたものである。
また、本発明の請求項４に係る損紙再出力依頼票発行システムは、請求項１〜３のいずれかに係る損紙再出力依頼票発行システムにおいて、前記読み取ったコードから枚目損紙情報として記憶する情報には宛名が印刷され宛名印刷帳票数（キー）と、宛名が印刷されていない副帳票数（サブ）と、ページ番号とが含まれており、前記損紙再出力依頼情報には、前記封筒番号と、前記同封枚数と、前記宛名印刷帳票数と、前記副帳票数と、前記ページ番号とが含まれているようにしたものである。
また、本発明の請求項５に係る損紙再出力依頼票発行システムは、請求項１〜４のいずれかに係る損紙再出力依頼票発行システムにおいて、前記枚目読込画面には目視確認ボタンが設けられており、前記枚目損紙情報が記憶されていない帳票の前記枚目番号を選択し、前記目視確認ボタンを押すことにより前記帳票を枚目損紙情報が記憶された帳票として処理する目視確認入力手段を備えるようにしたものである。
【発明の効果】
【０００６】
本発明の請求項１に係る損紙再出力依頼票発行システムによれば、コード読取手段により発生した損紙である帳票に印刷されているコードが読み取られ、枚目損紙情報記憶手段により読み取ったコードにおける、すくなくとも、封筒番号、同封枚数、枚目番号が枚目損紙情報として記憶され、枚目読込画面表示手段により封筒番号によって特定される組に属する同封枚数の帳票において、枚目損紙情報が記憶された帳票と、枚目損紙情報が記憶されていない帳票とが、判別可能な枚目読込画面が表示され、全損紙情報登録手段により同封枚数のすべての帳票の枚目損紙情報が記憶されたときに、枚目損紙情報に基づいて全損紙情報が生成され登録を可能とされ、損紙再出力依頼情報生成手段により損紙の再出力を依頼するための損紙再出力依頼情報が全損紙情報に基づいて生成される。すなわち、すべての帳票の枚目損紙情報が記憶されない限り全損紙情報を登録することができない。したがって、損紙が発生したときに損紙の実体と、損紙の登録との対応確認を含み、個人情報等が記載された損紙の散逸を確実に防止でき、良品を集めた製品群において再出力する損紙を明示するための損紙再出力依頼票を発行する損紙再出力依頼票発行システムが提供される。
また、本発明の請求項２に係る損紙再出力依頼票発行システムによれば、損紙再出力依頼票印刷手段により損紙再出力依頼情報に基づいて損紙再出力依頼票が印刷される。したがって印刷物としての損紙再出力依頼票を得ることができる。
また、本発明の請求項３に係る損紙再出力依頼票発行システムによれば、損紙再出力依頼情報生成手段により複数の封筒番号によって特定される複数の全損紙情報に基づいて損紙再出力依頼情報が生成される。したがって、複数の封筒番号の損紙が発生したときに、ダンボールに梱包し１つのパレット等に集積する良品とされた製品群において、１つのパレットに対して１枚の損紙再出力依頼票を発行することができる。
また、本発明の請求項４に係る損紙再出力依頼票発行システムによれば、読み取ったコードから枚目損紙情報として記憶する情報には宛名が印刷され宛名印刷帳票の数（キー）と、宛名が印刷されていない副帳票の数（サブ）と、ページ番号とが含まれており、前記損紙再出力依頼情報には、前記封筒番号と、前記同封枚数と、前記宛名印刷帳票数と、前記副帳票数と、前記ページ番号とが含まれている。したがって、宛名印刷帳票と副帳票との出力工程が異なるときであっても、それらの数とページ番号が明示されているから損紙再出力を間違いなく適正に行うことができる。
また、本発明の請求項５に係る損紙再出力依頼票発行システムによれば、枚目読込画面には目視確認ボタンが設けられており、枚目損紙情報が記憶されていない帳票の前記枚目番号を選択し、目視確認ボタンを押すことにより帳票を枚目損紙情報が記憶された帳票として目視確認入力手段により処理される。したがって、損紙である帳票に印刷されているコードの部分が損傷してコード読取手段で読み取ることが不可能な場合においても、オペレータは目視確認ボタンを押すことにより、その帳票を枚目損紙情報が記憶された帳票として処理することができる。
【発明を実施するための最良の形態】
【０００７】
次に、本発明の実施の形態について図を参照しながら説明する。本発明の損紙再出力依頼票発行システムとその周辺装置を含む全体構成を図１に示す。図１において、１は検査用ＰＣ、２はＱＲリーダ、３はプリンタ、４はジャーナルプリンタ、５は管理サーバ、６は品質管理システム、７はロット登録端末、８は検査記録出力プリンタ、１０は封入封緘機、１１は検査装置、１２はコンベヤである。
検査用ＰＣ１は検査に係わるデータ処理を行うデータ処理装置で、図１に示す一例においてはパーソナル・コンピュータシステム（ＰＣ）である。本発明の損紙再出力依頼票発行システムにおけるデータ処理部分は独立のデータ処理装置のハードウェアとソフトウェアによって実現することができるが、この検査用ＰＣ１に組み込まれている機能の１つとして実現することもできる。ここでは、損紙再出力依頼票発行システムにおけるデータ処理部分は検査用ＰＣ１に組み込まれているものとして説明する。
検査用ＰＣ１は封入封緘機１０に設けられている検査装置１１からリアルタイムの検査データを入力する。そして、その検査データに対して集計、加工、保存、表示、印刷、等のデータ処理を行う。また、リアルタイムの検査から独立して検査およびその他のデータ処理を行う。損紙再出力依頼票発行に関するデータ処理は、その独立したデータ処理の１つである。
検査用ＰＣ１は封入封緘機１０の近くに設けられており、封入封緘機１０のオペレータによって使用されるＰＣである。検査用ＰＣ１は封入封緘機１０において生産する品目に関する情報を生産管理室等に設置されている管理サーバ５から入力する。図１に示す一例においては、検査用ＰＣ１と管理サーバ５とはＬＡＮ（local area network）によって相互にデータの送受信が可能となるように構成されている。
【０００８】
ＱＲリーダ２は封入封緘機１０によって加工が行なわれる帳票に印刷されているＱＲコードをオペレータによる手操作で読み取るＱＲコード読取手段である。その他のＱＲリーダ２は検査用ＰＣ１の入力端末であって、ＱＲリーダ２によって読み取られたＱＲコードの読取データは検査用ＰＣ１によって入力が行われる。ＱＲコードはマトリックス型二次元コードの一種類である。本発明においては、ＱＲコード以外にバーコードやその他の周知の二次元コードと、そのコードに対応しているコードリーダとを使用することができる。
プリンタ３は検査用ＰＣ１の出力端末であって、検査用ＰＣ１から出力される印刷データに基づいて印刷を行う印刷手段である。本発明の損紙再出力依頼票発行システムにおいては、損紙再出力依頼情報に基づいて損紙再出力依頼票を印刷する損紙再出力依頼票印刷手段である。
ジャーナルプリンタ４は、プリンタ３がたとえばＡ４サイズの定型印刷紙に印刷するプリンタであるのに対して、狭幅（たとえば、６０ｍｍ）の連続紙（ロール紙）に印刷するプリンタである。ジャーナルプリンタ４は検査用ＰＣ１の出力端末であって、検査用ＰＣ１から出力される印刷データに基づいて印刷を行う印刷手段である。たとえば、製品に添付する伝票の発行に使用する。
【０００９】
管理サーバ５は、生産装置に対して生産を行う日時、品目、数量、等の生産計画と生産品に関係する情報（仕様、条件、等）を提供するとともに、生産の進捗状況、品質検査データの収集、等を行うサーバである。
品質管理システム６は品質データを集計して品質管理を行うシステムである。
ロット登録端末７はロット登録を行う端末装置である。
検査記録出力プリンタ８は検査記録を印刷出力するためのプリンタである。
封入封緘機１０は封筒に中身（帳票）を封入して封緘する装置である。
検査装置１１は封入封緘機１０に設けられた検査装置である。図１に示す一例においては、連番検査装置と厚み検査装置が示されている。検査装置１１が出力する検査データは検査用ＰＣ１によって入力が行われる。
コンベヤ１２は封入封緘機１０によって加工された製品を排出するコンベヤである。
以上、周辺装置を含む全体構成について説明したように、検査用ＰＣ１に対して、その上位のコンピュータシステムとして管理サーバ５、品質管理システム６、等が存在する。検査用ＰＣ１と封入封緘機１０とは、通常、一対一で組を成し、その組は１つの管理区域（工場、部屋、等）において多数存在する。一方、管理サーバ５、品質管理システム６は１つの管理区域に対して１台である。
【００１０】
次に、検査用ＰＣ１と封入封緘機１０において行われる処理の一例について説明する。検査用ＰＣ１において行われる処理の一例を説明図として図２に示す。図２において図１と同一部分には同一番号を付してある。
封入封緘機１０において機械的なトラブルにより不良が発生したときには、再利用ができない損紙品として排出し、損紙品は専用の箱にまとめて収容される。また、連番検査装置と厚み検査装置によって不良と判定されたときには、手直し品として排出し、手直し品は専用の箱にまとめて収容される。不良として排出されなかった良品については、コンベヤ１２に正常品として排出され、正常品は専用の箱にまとめて収容される。また、所定量の正常品を収容した所定箱は、パレットに積み重ねられる。損紙再出力依頼票は、たとえば、パレット単位で出力される。
検査用ＰＣ１は、このような不良品と良品を仕分ける検査において、検査データの処理を行う。たとえば、検査用ＰＣ１は損紙再出力依頼情報を生成しプリンタ３を使用して損紙再出力依頼票を印刷する処理を行う。
【００１１】
検査用ＰＣ１は、すでに説明したように、損紙再出力依頼票発行システムのデータ処理を行う部分として機能する。次に、損紙再出力依頼票発行システムについて説明する。損紙再出力依頼票発行システムにおける構成の一例を絵図として図３に、ブロック図として図４に示す。図３、図４において、図１と同一部分には同一符号を付してある。図４において、１０１は枚目損紙情報、１０２は全損紙情報、１０３は損紙再出力依頼情報、１０４は枚目損紙情報記憶手段、１０５は枚目読込画面表示手段、１０６は全損紙情報登録手段、１０７は損紙再出力依頼情報生成手段、１０８は損紙再出力依頼票印刷手段、１０９は目視確認入力手段、１２０はディスプレイ・モニタ、１３０はキーボード、１４０はマウスである。
損紙再出力依頼票発行システムは、図３、図４に示すように、検査用ＰＣ１、ＱＲリーダ２、プリンタ３、等によって構成される。
【００１２】
検査用ＰＣ１は、図４に示すように、記憶部と処理部を有し、記憶部においては枚目損紙情報１０１、全損紙情報１０２、損紙再出力依頼情報１０３、等の情報の記憶が行われ、処理部においては枚目損紙情報記憶手段１０４、枚目読込画面表示手段１０５、全損紙情報登録手段１０６、損紙再出力依頼情報生成手段１０７、損紙再出力依頼票印刷手段１０８、目視確認入力手段１０９、等によるデータ処理が行われる。
枚目損紙情報１０１はＱＲリーダ２が読み取ったＱＲコードにおける、封筒番号、同封枚数、枚目番号、宛名が印刷され宛名印刷帳票数（キー）と、宛名が印刷されていない副帳票数（サブ）と、ページ番号を枚目損紙情報記憶手段１０５が記憶部に記憶した情報である。
全損紙情報１０２は、同封枚数のすべての帳票の枚目損紙情報が記憶されたときに、全損紙情報登録手段１０５が枚目損紙情報に基づいて全損紙情報１０２を生成し、登録指示入力により、記憶部に記憶した情報である。
損紙再出力依頼情報１０３は、損紙再出力依頼情報生成手段１０７が全損紙情報１０２に基づいて生成する、損紙の再出力を依頼するための情報である。損紙再出力依頼情報１０３には、封筒番号と、同封枚数と、宛名印刷帳票数と、副帳票数と、ページ番号とが含まれている
【００１３】
枚目損紙情報記憶手段１０４はＱＲリーダ２が読み取ったＱＲコードにおける、封筒番号と、同封枚数と、枚目番号と、宛名が印刷され宛名印刷帳票数（キー）と、宛名が印刷されていない副帳票数（サブ）と、ページ番号とを枚目損紙情報１０１として記憶する処理を行う。
枚目読込画面表示手段１０５は封筒番号によって特定される組に属する同封枚数の帳票において、枚目損紙情報１０１が記憶された帳票と、枚目損紙情報１０１が記憶されていない帳票とが、判別可能な枚目読込画面をディスプレイ・モニタ１２０に表示する処理を行う（図６参照）。枚目読込画面には、封筒番号の表示欄と、同封枚数の読込状態（読み込んだか否か）を示す表示欄と、目視確認ボタンが設けられている。
全損紙情報登録手段１０６は同封枚数のすべての帳票の枚目損紙情報１０１が記憶されたときに、枚目損紙情報１０１に基づいて全損紙情報１０２を生成し登録を可能とし、そうでないときには登録を不可能とする処理を行う。
損紙再出力依頼情報生成手段１０７は損紙の再出力を依頼するための損紙再出力依頼情報１０３を全損紙情報１０２に基づいて生成する処理を行う。損紙再出力依頼情報生成手段１０７は複数の封筒番号によって特定される複数の全損紙情報１０２に基づいて損紙再出力依頼情報１０３を生成する処理を行う。
損紙再出力依頼票印刷手段１０８は損紙再出力依頼情報１０３に基づいて損紙再出力依頼票をプリンタ３において印刷する処理を行なう。
目視確認入力手段１０９は枚目損紙情報１０１が記憶されていない帳票の枚目番号を選択し、枚目読込画面に設けられた目視確認ボタンを押すことにより帳票を枚目損紙情報１０１が記憶された帳票とみなす処理を行う。
なお、枚目読込画面に設けられたキャンセルボタンは枚目読込画面のどの状態であっても有効であり、キャンセルボタンを押すことにより損紙登録自体を中止する処理を行う。
【００１４】
以上、構成について説明した。次に、本発明の損紙再出力依頼票発行システムにおける動作について説明する。本発明の損紙再出力依頼票発行システムにおける損紙再出力依頼票発行の過程について一例を図５に示す。
まず、図５のステップＳ１（ＱＲコード読取可？）において、封入封緘機１０による封入封緘の途中で帳票の損紙が発生したときに、オペレータは損紙に印刷されているＱＲコードを読み取り可能であるか否かを判定する。帳票におけるＱＲコードの部分が破損している等により読み取りが不可能と判定したとき、または実際にＱＲリーダ２を使用して読み取りを試みて読み取りが不可能と判定したときにはステップＳ１０へ進む。読み取りが可能であると判定したときにはステップＳ２へ進む。
次に、ステップＳ２（ＱＲコード読取）において、オペレータはＱＲリーダ２を使用して紙に印刷されているＱＲコードの読み取りを行う。
次に、ステップＳ３（枚目損紙情報記憶）において、枚目損紙情報記憶手段１０４はＱＲリーダ２が読み取ったＱＲコードにおける、封筒番号、同封枚数、枚目番号、宛名が印刷され宛名印刷帳票数（キー）と、宛名が印刷されていない副帳票数（サブ）と、ページ番号を枚目損紙情報１０１として記憶する。
【００１５】
次に、ステップＳ４（枚目読取画面表示）において、枚目読込画面表示手段１０５は封筒番号によって特定される組に属する同封枚数の帳票において、枚目損紙情報が記憶された帳票と、枚目損紙情報が記憶されていない帳票とが、判別可能な枚目読込画面をディスプレイ・モニタ１２０に表示する。
【００１６】
ここで、枚目読込画面の一例を図６に示す。図６（Ａ）は、ＱＲコードの読み取りを行う前に、オペレータが検査用ＰＣ１において損紙登録のモードに移行し、オペレータが損紙の封筒番号を指示入力したときに表示される枚目読込画面である。図６（Ｂ）は、オペレータが検査用ＰＣ１において損紙登録のモードに移行し、最初の１枚目のＱＲコードの読み取りを行ったときに（上記ステップＳ１〜Ｓ３を行った後のステップＳ４において）表示される枚目読込画面である。すなわち、最初のステップＳ４において表示される枚目読込画面である。図６（Ｂ）は図６（Ｃ）は、続いて２枚目のＱＲコードの読み取りを行ったときに表示される枚目読込画面である。すなわち、２回目ののステップＳ４において表示される枚目読込画面である。図６（Ｄ）は、６枚目のＱＲコードの読み取りを行ったときに表示される枚目読込画面である。すなわち、６回目ののステップＳ４において表示される枚目読込画面である。
枚目読取画面は、図６に示すように、封筒番号を表示する表示欄と、目視確認のモードに移行することをオペレータが指示入力するための「目視確認」ボタンと、損紙登録を中止することをオペレータが指示入力するための「キャンセル」ボタンと、封筒番号「０００２４０５」の同封枚数７枚に対応して１〜７の番号で示された７つの行からなる表示欄とを有する。
【００１７】
次に、ステップＳ５（同封枚数読取？）において、全損紙情報登録手段１０６は同封枚数のすべての帳票の枚目損紙情報が記憶されたか否かを判定する。そのすべてが記憶されたときにはステップＳ６に進み、そうでないときにはステップＳ１に戻って前述した以降の過程を繰り返す。
次に、ステップＳ６（全損紙情報登録）において、全損紙情報登録手段１０６は記憶したすべての枚目損紙情報に基づいて全損紙情報１０２を生成し登録を可能とする。オペレータが登録を指示入力することにより、全損紙情報登録手段１０６は全損紙情報１０２を検査用ＰＣ１の記憶部に登録データとして記憶する。この全損紙情報登録は、前述の説明から明らかなように、１つの特定の封筒番号に属する同封枚数の帳票（損紙）の登録である。
次に、ステップＳ７（一群の登録完了？）において、封入封緘する封筒を所定の管理範囲（たとえば、封筒の数量で１００００通単位、パレット１台単位）を一群とし、その一群に属する封筒番号に属する帳票のすべての検査を完了したか否かを判定する。この一群を１単位として１枚の損紙再出力依頼票が発行される。その管理範囲において登録するべき封筒番号の全損紙情報１０２の登録をすべて完了していればステップＳ８に進む。そうでないときにはステップＳ１に戻って前述した以降のステップを繰り返す。
次に、ステップＳ８（損紙再出力依頼情報生成）において、損紙再出力依頼情報生成手段１０７は損紙の再出力を依頼するための損紙再出力依頼情報を全損紙情報に基づいて生成する処理を行う。損紙再出力依頼情報生成手段は複数の封筒番号によって特定される複数の全損紙情報に基づいて損紙再出力依頼票を生成する処理を行う。
次に、ステップＳ８（損紙再出力依頼票印刷）において、損紙再出力依頼票印刷手段１０８は損紙再出力依頼情報に基づいて損紙再出力依頼票をプリンタ３において印刷する処理を行なう。
【００１８】
損紙再出力依頼票の一例を図７に示す。損紙再出力依頼票は、図７に示すように、封筒番号、同封枚数、宛名印刷帳票数（キー）、副帳票数（サブ）、ページ番号、等の表示欄を有する。ページ番号において「／」の前のページ番号は宛名印刷帳票のページ番号を表し、ページ番号において「／」の後のページ番号は副帳票数のページ番号を表す。これらは、ＱＲコードを読み込ませることにより自動で表示される。「作業日、「機械名」、「受注番号」、「得意先」、「品名」、「進行単位区分」、「データ処理日」、「処理回数」、「番号範囲」、等の表示欄も同様である。
なお、「〒」、「氏名」は必用があればオペレータが手書きで記入する表示欄である。
【００１９】
一方、前述のステップＳ１において、帳票におけるＱＲコードの部分が破損している等により読み取りが不可能と判定したとき、または実際にＱＲリーダ２を使用して読み取りを試みて読み取りが不可能と判定したときにはステップＳ１０へ進む。
次に、ステップＳ１０（目視確認入力）において、目視確認入力手段１０９は枚目損紙情報が記憶されていない帳票の枚目番号を選択し、枚目読込画面に設けられた目視確認ボタンを押すことにより帳票を枚目損紙情報が記憶された帳票とみなす処理を行う。
【図面の簡単な説明】
【００２０】
【図１】本発明の損紙再出力依頼票発行システムとその周辺装置を含む全体構成を示す図である。
【図２】検査用ＰＣ１において行われる処理の一例を示す説明図である。
【図３】損紙再出力依頼票発行システムにおける構成の一例を示す説明図である。
【図４】損紙再出力依頼票発行システムにおける構成の一例を示すブロック図である。
【図５】本発明の損紙再出力依頼票発行システムにおける損紙再出力依頼票発行の過程の一例を示すフロー図である。
【図６】枚目読込画面の一例を示す図である。
【図７】損紙再出力依頼票の一例を示す図である。
【符号の説明】
【００２１】
１  検用ＰＣ
２  ＱＲリーダ
３  プリンタ
４  ジャーナルプリンタ
５  管理サーバ
６  品質管理システム
７  ロット登録端末
８  検査記録出力プリンタ
１０  封入封緘機
１１  検査装置
１２  コンベヤ
１０１  枚目損紙情報
１０２  全損紙情報
１０３  損紙再出力依頼情報
１０４  枚目損紙情報記憶手段
１０５  枚目読込画面表示手段
１０６  全損紙情報登録手段
１０７  損紙再出力依頼情報生成手段
１０８  損紙再出力依頼票印刷手段
１０９  目視確認入力手段
１２０  ディスプレイ・モニタ
１３０  キーボード
１４０  マウス
【図１】
2010128867.tif 000003
【図２】
2010128867.tif 000004
【図３】
2010128867.tif 000005
【図４】
2010128867.tif 000006
【図５】
2010128867.tif 000007
【図６】
2010128867.tif 000008
【図７】
2010128867.tif 000009